(57)【要約】  照明システム（１）が含むリモートコントローラ（３）は、ユーザからペアリング指示を受け付けるペアリング指示受付部（１１）と、ペアリング指示を受け付けた場合に、ペアリング指示信号を照明ユニット（２）に送信する送信部（１０）と、を備える。ペアリング指示信号が送信されると、照明ユニット（２）の音響装置（６）のスピーカ側マイクロコンピュータ（１２）は、外部機器（４）との間でペアリング処理を実行する。
2013129544.tif 000002
【特許請求の範囲】
【請求項１】
照明ユニットと、
第１方式の無線信号を操作信号として送信することにより、前記照明ユニットを操作する、リモートコントローラと、を備え、
前記照明ユニットは、前記操作信号を受信する第１方式受信部と、前記照明ユニット外部の外部機器との間で第２方式による無線通信を行うための第２方式通信部と、を有し、
前記リモートコントローラは、前記照明ユニットと前記外部機器との間で前記第２方式通信部を介した前記第２方式による無線通信を行うことを可能にするペアリング処理の実行を指示するペアリング指示をユーザから受け付けるペアリング指示受付部と、前記ペアリング指示を受け付けた場合に、前記操作信号としてペアリング指示信号を生成し、前記照明ユニットに送信する、第１方式送信部と、を備え、
前記照明ユニットは、前記第１方式受信部が前記ペアリング指示信号を受信した場合に前記外部機器との間で前記ペアリング処理を実行するペアリング処理実行部をさらに備える、
ことを特徴とする照明システム。
【請求項２】
前記照明ユニットは、
発光を行う照明装置と、
前記照明装置に通信可能に接続された電気機器と、
を備えることを特徴とする請求項１に記載の照明システム。
【請求項３】
前記第２方式通信部及び前記ペアリング処理実行部は、前記電気機器に実装されており、
前記第１方式受信部は、前記照明装置に実装されており、
前記照明装置は、前記第１方式受信部によって前記ペアリング指示信号を受信し、
前記ペアリング処理実行部は、前記照明装置を介して前記ペアリング指示信号を受信する、
ことを特徴とする請求項２に記載の照明システム。
【請求項４】
前記ペアリング指示受付部は、ペアリング指示専用のボタンにより構成されている、
ことを特徴とする請求項１乃至３のいずれか１項に記載の照明システム。
【請求項５】
前記照明ユニットは、天井に取り付けられる、
ことを特徴とする請求項１乃至４のいずれか１項に記載の照明システム。
【請求項６】
請求項１乃至５のいずれか１項に記載の照明システムで用いられる、リモートコントローラ。
【請求項７】
第１方式による無線通信と第２方式による無線通信が行われる照明システムの動作方法であって、
リモートコントローラが、照明ユニットと前記照明ユニット外部の外部機器との間で前記第２方式による無線通信を行うことを可能にするペアリング処理の実行を指示するペアリング指示をユーザから受け付けるステップと、
前記ペアリング指示に応じて、前記リモートコントローラが、前記第１方式の無線信号によりペアリング指示信号を生成し、前記照明ユニットに送信するステップと、
前記照明ユニットが、前記ペアリング指示信号を受信するステップと、
前記ペアリング指示信号を受信した場合に、前記照明ユニットが前記ペアリング処理を実行するステップと、
を含むことを特徴とする照明システムの動作方法。
【発明の詳細な説明】
【技術分野】
【０００１】
本発明は、照明システム、リモートコントローラ、及び、照明システムの動作方法に関する。
【背景技術】
【０００２】
携帯電話機などには、通信機能（例えば、Ｂｌｕｅｔｏｏｔｈ（登録商標））が設けられている場合がある。通信機能を利用することにより、携帯電話機等と電気製品等との間でデータの送受信を行うことができ、利便性を向上できる。【０００３】
関連技術が、特許文献１に開示されている。特許文献１には、Ｂｌｕｅｔｏｏｔｈなどの無線通信手段を介してオーディオ機器と携帯電話機が接続される点、携帯電話機からのオーディオソースの音声をオーディオ機器で再生する点、オーディオ機器に設けられた操作手段を介して携帯電話機のハンズフリー機能を制御してハンズフリーモードで通話できるようにした点などが開示されている。【０００４】
一方で、電気製品には、様々な機能が組み込まれるようになってきている。関連して、特許文献２には、天井に設置された照明装置にスピーカが組み込まれた、スピーカ組み込み家具が開示されている。
【先行技術文献】
【特許文献】
【０００５】
【特許文献１】特開２００９−１２４２７１号公報
【特許文献２】特開２０１１−５５３３１号公報
【発明の概要】
【発明が解決しようとする課題】
【０００６】
本願発明者は、照明ユニットに携帯電話機などの照明ユニット外部の外部機器との通信機能を搭載することを考えた。これにより、外部機器を用いて照明ユニットの操作を行うことができ、利便性を向上させることが可能になる。【０００７】
しかしながら、照明ユニットと外部機器との通信機能を利用する為には、ペアリング処理と呼ばれる初期設定処理（接続確立処理）が必要となる場合がある。ペアリング処理により、照明ユニットに含まれる無線通信用の装置（親機）が、電波により、周囲に存在する子機（外部機器）を探索する。子機が存在すれば、親機が子機を認識する。以後、親機と子機との間で通信が可能になる。すなわち、照明ユニットと外部機器との間で通信が可能になる。【０００８】
ペアリング処理を実行するためには、照明ユニットを操作しなければならない。しかしながら、照明ユニットが天井などのユーザの手の届き難い場所に取り付けられている場合などには、照明ユニットを操作することは、ユーザにとって大きな負担となる。このような場合も含め、照明ユニットを直接操作せずにペアリングを行いたい場合がある。【０００９】
本発明は上記事情に鑑みてなされたものであり、その目的とするところは、照明ユニットを直接操作せずに、外部機器と照明ユニットとのペアリングを簡単に実行することにある。
【課題を解決するための手段】
【００１０】
本発明の第１の観点に係る照明システムは、
照明ユニットと、
第１方式の無線信号を操作信号として送信することにより、前記照明ユニットを操作する、リモートコントローラと、を備え、
前記照明ユニットは、前記操作信号を受信する第１方式受信部と、前記照明ユニット外部の外部機器との間で第２方式による無線通信を行うための第２方式通信部と、を有し、
前記リモートコントローラは、前記照明ユニットと前記外部機器との間で前記第２方式通信部を介した前記第２方式による無線通信を行うことを可能にするペアリング処理の実行を指示するペアリング指示をユーザから受け付けるペアリング指示受付部と、前記ペアリング指示を受け付けた場合に、前記操作信号としてペアリング指示信号を生成し、前記照明ユニットに送信する、第１方式送信部と、を備え、
前記照明ユニットは、前記第１方式受信部が前記ペアリング指示信号を受信した場合に前記外部機器との間で前記ペアリング処理を実行するペアリング処理実行部をさらに備える、
ことを特徴とする。【００１１】
本発明の第２の観点に係るリモートコントローラは、
前記照明システムで用いられる。【００１２】
本発明の第３の観点に係る照明システムの動作方法は、
第１方式による無線通信と第２方式による無線通信が行われる照明システムの動作方法であって、
リモートコントローラが、照明ユニットと前記照明ユニット外部の外部機器との間で前記第２方式による無線通信を行うことを可能にするペアリング処理の実行を指示するペアリング指示をユーザから受け付けるステップと、
前記ペアリング指示に応じて、前記リモートコントローラが、前記第１方式の無線信号によりペアリング指示信号を生成し、前記照明ユニットに送信するステップと、
前記照明ユニットが、前記ペアリング指示信号を受信するステップと、
前記ペアリング指示信号を受信した場合に、前記照明ユニットが前記ペアリング処理を実行するステップと、
を含むことを特徴とする。
【発明の効果】
【００１３】
本発明によれば、照明ユニットを直接操作せずに、外部機器と照明ユニットとの間のペアリングを簡単に実行することができる。
【図面の簡単な説明】
【００１４】
【図１】本発明の一実施の形態に係る照明システムを示すブロック図である。
【図２】リモートコントローラの外観の一例を示す図である。
【図３】ペアリング処理の実行方法を示すフローチャートである。
【発明を実施するための形態】
【００１５】
以下、図面を参照しつつ、本発明の実施の形態について説明する。図１は、本実施の形態に係る照明システム１を示すブロック図である。照明システム１は、照明ユニット２、及びリモートコントローラ３を備えている。
【００１６】
照明ユニット２は、例えば、引掛けシーリングなどに取り付けられることで、部屋の天井に設置される。照明ユニット２は、照明装置５及び音響装置６を備えている。
【００１７】
照明装置５は、照明部９、ＩＲ受信部８（第１方式受信部）、及び照明側マイクロコンピュータ７を有している。
【００１８】
照明部９は、発光する機能を有しており、例えば、ＬＥＤ（Ｌｉｇｈｔ  Ｅｍｉｔｔｉｎｇ  Ｄｉｏｄｅ）により実現される。
【００１９】
ＩＲ受信部８は、赤外線信号（ＩＲ信号；第１方式の無線信号）を受信する機能を有している。
【００２０】
照明側マイクロコンピュータ７は、ＩＲ受信部８が受信したＩＲ信号に応じて、照明部９の動作を制御する機能を有している。また、照明側マイクロコンピュータ７は、音響装置６と通信する機能を有している。
【００２１】
音響装置６は、スピーカ１３、ＢＴ送受信部１４（第２方式通信部）、及びスピーカ側マイクロコンピュータ１２（ペアリング処理実行部）を有している。
【００２２】
ＢＴ送受信部１４は、Ｂｌｕｅｔｏｏｔｈ方式（第２方式）の無線信号（ＢＴ電波）により、スピーカ側マイクロコンピュータ１２がＢｌｕｅｔｏｏｔｈ方式に対応した外部機器４（ＢＴ送受信部１５を有する外部機器）と近距離無線通信を行なうための機能を有している。外部機器４は、照明ユニット２とは別体の照明ユニット２の外部にある機器であればよく、ここでは、携帯電話機、タブレット型コンピュータなどの携帯端末である。
【００２３】
スピーカ側マイクロコンピュータ１２は、スピーカ１３を制御する機能を有している。また、スピーカ側マイクロコンピュータ１２は、照明装置５と通信する機能を有している。加えて、スピーカ側マイクロコンピュータ１２は、ＢＴ送受信部１４を介して、外部機器４と通信を行なう機能を有している。特に、スピーカ側マイクロコンピュータ１２は、ＢＴ送受信部１４を介して、初期設定として、接続相手である外部機器４とペアリング処理（外部機器４と照明ユニット２（ここでは、音響装置６（スピーカ側マイクロコンピュータ１２））との間でのＢｌｕｅｔｏｏｔｈ方式の無線通信を可能にする初期設定処理）を実行した後に、外部機器４と通信可能になる。
【００２４】
リモートコントローラ３は、照明ユニット２を遠隔操作するために用いられる。リモートコントローラ３は、送信部１０（第１方式送信部）、ペアリング指示受付部１１、及び照明操作受付部１６を備えている。
【００２５】
照明操作受付部１６は、照明操作指示を受け付けるために用いられる。ユーザは、照明操作受付部１６を操作することにより、照明操作指示を入力することができる。ペアリング指示受付部１１は、ペアリング指示を受け付けるために用いられる。ユーザは、ペアリング指示受付部１１を操作することにより、ペアリング指示をリモートコントローラ３に入力できる。ペアリング指示は、外部機器４と照明ユニット２（ここでは、音響装置６（スピーカ側マイクロコンピュータ１２））との間でのペアリング処理の実行を指示するものである。
【００２６】
送信部１０は、照明操作受付部１６又はペアリング指示受付部１１が受け付けた指示に応じて、操作信号を生成し、ＩＲ信号として、照明装置５に送信する機能を有している。
【００２７】
図２は、リモートコントローラ３の外観の一例を示す図である。図２に示されるように、このリモートコントローラ３には、照明操作受付部１６として、「明るく」及び「暗く」と記されたボタンが設けられている。また、リモートコントローラ３には、ペアリング指示受付部１１として、「ペアリングボタン」が設けられている。ユーザがこれらのボタンを押すと、送信部１０が、押されたボタンに対応する操作を示す操作信号をＩＲ信号により生成し、照明装置５に送信する。
【００２８】
次いで、本実施の形態に係る照明システム１の動作方法を説明する。
【００２９】
ユーザは、リモートコントローラ３を用いて、照明ユニット２の照明機能を制御することが可能である。すなわち、ユーザは、照明操作受付部１６を操作することにより、照明指示をリモートコントローラ３に入力する。すると、リモートコントローラ３では、送信部１０が、入力された照明指示を示す信号を照明操作信号として生成し、ＩＲ信号により、照明装置５に送信する（図１参照）。照明装置５では、ＩＲ受信部８が照明操作信号を受信する。受信された照明操作信号は、照明側マイクロコンピュータ７に送られる。照明側マイクロコンピュータ７は、取得した照明操作信号に応じて、照明部９の動作を制御する。これにより、ユーザは、照明部９の照度を調節することが可能である。
【００３０】
また、本実施の形態に係る照明システム１においては、音響装置６にＢＴ送受信部１４が設けられている。そのため、ユーザは、外部機器４を用いて、照明ユニット２の操作を行うことが可能である。例えば、ユーザは、外部機器４に格納された音楽データを、Ｂｌｕｅｔｏｏｔｈ方式（ＢＴ電波）で、音響装置６に送ることができる。音響装置６では、スピーカ側マイクロコンピュータ１２が、ＢＴ送受信部１４を介して、音楽データを取得する。スピーカ側マイクロコンピュータ１２は、取得した音楽データを、スピーカ１３により再生する。また、ユーザは、リモートコントローラ３を用いる他、外部機器４を操作することによっても、照明装置５の照明機能を操作することが可能になる。すなわち、ユーザは、外部機器４を操作することにより、ＢＴ電波により、音響装置６に、照明機能を操作する為の指示を送ることが可能である。音響装置６では、スピーカ側マイクロコンピュータ１２が、ＢＴ送受信部１４を介して操作指示を受け取り、照明側マイクロコンピュータ７に受け取った操作指示を送信する。照明側マイクロコンピュータ７は、受け取った操作指示に基づいて、照明部９の動作を制御する。
【００３１】
ここで、既述のように、スピーカ側マイクロコンピュータ１２は、ＢＴ送受信部１４を介して外部機器４との間で通信を行うためには、ペアリング処理が必要である。以下に、ペアリング時における照明システム１の動作方法を、説明する。図３は、ペアリング処理の実行方法を示すフローチャートである。
【００３２】
ステップＳ１；ペアリング指示受付
ペアリング処理を行いたい場合、ユーザは、リモートコントローラ３のペアリング指示受付部１１を操作し、ペアリング指示を入力する。
【００３３】
ステップＳ２；ペアリング指示信号送信
ペアリング指示が入力されると、送信部１０が、ペアリング指示信号を生成し、ＩＲ信号として、照明装置５に送信する。
【００３４】
ステップＳ３；ペアリング指示信号受信
照明装置５では、ＩＲ受信部８が、ペアリング指示信号を受信する。受信されたペアリング指示信号は、照明装置５側から、音響装置６のスピーカ側マイクロコンピュータ１２に送られる。なお、ＩＲ受信部８で受信されたペアリング指示信号は、照明側マイクロコンピュータ７を介さずにスピーカ側マイクロコンピュータ１２に供給されるようにしてもよいし（図１参照）、照明側マイクロコンピュータ７を介してスピーカ側マイクロコンピュータ１２に供給されるようにしてもよい。
【００３５】
ステップＳ４；ペアリング処理実行
スピーカ側マイクロコンピュータ１２は、ペアリング指示信号を取得すると、ＢＴ送受信部１４を介してペアリング処理（ペアリング処理の内容は公知のものを利用できる。）を実行する。すなわち、スピーカ側マイクロコンピュータ１２は、ＢＴ送受信部１４を介してペアリング処理を行い、周囲に存在する外部機器４（例えば、外部機器４もペアリングを実行可能なモードになっているものとする。）との接続を確立する。以降、ＢＴ送受信部１４は、外部機器４と通信可能になる。
【００３６】
以上説明したように、本実施の形態によれば、リモートコントローラ３にペアリング指示受付部１１が設けられているため、ユーザは、リモートコントローラ３を操作することにより、ユーザの手の届き難い天井に取り付けられた音響装置６（ＢＴ送受信部１４）のペアリング処理を実行できる。音響装置６に触れることなくペアリング処理を実行でき、ユーザが必要とする作業負担を低減できる。また、ペアリング指示受付部１１が、ペアリングのための専用のボタンになっているため、本実施の形態によれば、簡単にペアリングを開始することができる。
【００３７】
なお、本実施の形態では、リモートコントローラ３と照明装置５との間の通信方式（第１方式）として、赤外線通信が用いられる場合について説明した。また、音響装置６と外部機器４との間の通信方式（第２方式）として、Ｂｌｕｅｔｏｏｔｈ方式を用いる場合について説明した。但し、第１方式及び第２方式としては、これらの通信方式に限定されるものではなく、他の通信方式を用いることも可能である。外部機器４は、照明装置５以外の機器のリモートコントローラ、デスクトップ型のパーソナルコンピュータ、ノート型のパーソナルコンピュータなどであってもよい。
【００３８】
また、本実施の形態では、照明ユニット２が音響装置６と照明装置５とを備えており、音響装置６にＢＴ送受信部１４が設けられている場合について説明した。但し、ＢＴ送受信部１４は、必ずしも、音響装置６側に実装されている必要はなく、照明装置５側に実装されていてもよい。この場合には、照明側マイクロコンピュータ７がペアリング処理を実行するペアリング処理実行部として動作するようにしてもよい。また、この照明ユニット２は、必ずしも音響装置６を備えている必要もない。ペアリング処理により、外部機器４で照明装置５が操作可能となるものとしてもよい。さらに、音響装置６は、映像再生装置や空調装置等の他の電気機器であってもよい。第２方式通信部、及びペアリング処理実行部は、他の電気機器に実装されているものとしてもよい。照明ユニット２は、天井以外に設置されてもよい。この場合であっても、音響装置６に触れることなくペアリング処理を実行できる。
【００３９】
また、本実施の形態では、ペアリング指示受付部１１が、ペアリングのための専用のボタンになっているが、これに限らない。既存のボタン（例えば、照明操作受付部１６）を長押しすることにより、ペアリング指示が受け付けられるものとしてもよいし、既存のボタンを所定の回数及び／又は所定の順番で押下することにより、ペアリング指示が受け付けられるものとしてもよい。
【００４０】
以上、本発明について、一実施の形態を用いて説明した。但し、本発明は、上述の実施の形態に限定されるものではなく、上述の実施の形態を変形したものも適宜含まれる。
【００４１】
（付記）
上記の実施形態の一部又は全部は、以下の付記のようにも記載されうるが、以下に限られない。
【００４２】
（付記１）
照明ユニットと、
第１方式の無線信号を操作信号として送信することにより、前記照明ユニットを操作する、リモートコントローラと、を備え、
前記照明ユニットは、前記操作信号を受信する第１方式受信部と、前記照明ユニット外部の外部機器との間で第２方式による無線通信を行うための第２方式通信部と、を有し、
前記リモートコントローラは、前記照明ユニットと前記外部機器との間で前記第２方式通信部を介した前記第２方式による無線通信を行うことを可能にするペアリング処理の実行を指示するペアリング指示をユーザから受け付けるペアリング指示受付部と、前記ペアリング指示を受け付けた場合に、前記操作信号としてペアリング指示信号を生成し、前記照明ユニットに送信する、第１方式送信部と、を備え、
前記照明ユニットは、前記第１方式受信部が前記ペアリング指示信号を受信した場合に前記外部機器との間で前記ペアリング処理を実行するペアリング処理実行部をさらに備える、
ことを特徴とする照明システム。
【００４３】
（付記２）
前記照明ユニットは、
発光を行う照明装置と、
前記照明装置に通信可能に接続された電気機器と、
を備えることを特徴とする付記１に記載の照明システム。
【００４４】
（付記３）
前記第２方式通信部及び前記ペアリング処理実行部は、前記電気機器に実装されており、
前記第１方式受信部は、前記照明装置に実装されており、
前記照明装置は、前記第１方式受信部によって前記ペアリング指示信号を受信し、
前記ペアリング処理実行部は、前記照明装置を介して前記ペアリング指示信号を受信する、
ことを特徴とする付記２に記載の照明システム。
【００４５】
（付記４）
前記ペアリング指示受付部は、ペアリング指示専用のボタンにより構成されている、
ことを特徴とする付記１乃至３のいずれか１つに記載の照明システム。
【００４６】
（付記５）
前記照明ユニットは、天井に取り付けられる、
ことを特徴とする付記１乃至４のいずれか１つに記載の照明システム。
【００４７】
（付記６）
付記１乃至５のいずれか１つに記載の照明システムで用いられる、リモートコントローラ。
【００４８】
（付記７）
第１方式による無線通信と第２方式による無線通信が行われる照明システムの動作方法であって、
リモートコントローラが、照明ユニットと前記照明ユニット外部の外部機器との間で前記第２方式による無線通信を行うことを可能にするペアリング処理の実行を指示するペアリング指示をユーザから受け付けるステップと、
前記ペアリング指示に応じて、前記リモートコントローラが、前記第１方式の無線信号によりペアリング指示信号を生成し、前記照明ユニットに送信するステップと、
前記照明ユニットが、前記ペアリング指示信号を受信するステップと、
前記ペアリング指示信号を受信した場合に、前記照明ユニットが前記ペアリング処理を実行するステップと、
を含むことを特徴とする照明システムの動作方法。
【００４９】
本発明は、２０１２年２月２９日に出願された日本国特許出願２０１２−０４４２７６号に基づく。本明細書中に日本国特許出願２０１２−０４４２７６号の明細書、特許請求の範囲、図面全体を参照として取り込むものとする。
【符号の説明】
【００５０】
１  照明システム
２  照明ユニット
３  リモートコントローラ
４  外部機器
５  照明装置
６  音響装置
７  照明側マイクロコンピュータ
８  ＩＲ受信部
９  照明部
１０  送信部
１１  ペアリング指示受付部
１２  スピーカ側マイクロコンピュータ
１３  スピーカ
１４  ＢＴ送受信部
１５  ＢＴ送受信部
１６  照明操作受付部
【図１】
2013129544.tif 000003
【図２】
2013129544.tif 000004
【図３】
2013129544.tif 000005
【国際調査報告】
2013129544.tif 000006
2013129544.tif 000007
2013129544.tif 000008
2013129544.tif 000009